(57)【特許請求の範囲】
【請求項１】
外蓋と内蓋が離型層を介して剥離可能に積層された構成からなり外周縁に外方に突出する摘み部を有する形状の蓋材であって、前記内蓋には、前記摘み部の近傍に剥離開始切目が形成され、前記摘み部と対向する蓋材の周縁部領域に複数の湯切り孔切目が形成され、前記剥離開始切目より中央部側に前記摘み部と蓋材の中心を結ぶ線に交差し対称な略円形状であって内方に突出する突出部を有する内蓋切目が形成され、前記離型層が前記剥離開始切目と前記内蓋切目と蓋材の外周縁に囲まれた領域に形成された構成からなることを特徴とする湯切り孔付き蓋材。
【請求項２】
前記離型層が、前記剥離開始切目の近傍領域においてベタ離型層とされ且つその他の領域において網点離型層とされた構成からなることを特徴とする請求項１記載の湯切り孔付き蓋材。
【請求項３】
前記内蓋切目が隣接する２個の突出部を有する形状とされ、２個の前記突出部間に分離切目が形成された構成からなることを特徴とする請求項１または２記載の湯切り孔付き蓋材。
【請求項４】
前記外蓋が、紙層単体ないしはプラスチックフィルムと紙層の積層体からなり、前記内蓋が、ポリエチレン層とアルミニウム箔と熱接着性樹脂層の積層体からなることを特徴とする請求項１〜４のいずれかに記載の湯切り孔付き蓋材。
【発明の詳細な説明】
【０００１】
【発明の属する技術分野】
本発明は、カップ入り生めん等のように、容器に収納されている袋入りの生めん、スープ、具等を取り出し、生めんを袋から取り出して容器に入れ、容器に熱湯を注いで一定時間放置した後に湯切りを行う用途に使用する湯切り孔付き蓋材に関する。
【０００２】
【従来の技術】
従来、カップ入り生めんのように、容器に収納されている袋入りの生めん、スープ、具等を取り出し、生めんを袋から出して容器に入れて熱湯を注ぎ一定時間放置した後に湯切りして使用する蓋付き容器としては、特開２００１−１９０５９号公報に記載されている、外蓋と内蓋が部分的に剥離可能に積層された構成からなり外周縁に外方に突出する摘み部が形成され、内蓋には、摘み部と対向する周縁部に湯切り孔切目が形成され、摘み部と湯切り孔切目が形成された領域を区画するように内蓋切目が形成され、外蓋の内面に湯切り孔切目が形成された領域に対向させて部分的に離型層が形成された構成の蓋材が知られている。
【０００３】
しかしながら、上記の蓋材の場合は、容器の口部に熱接着により取り付けられた蓋材を摘み部を掴んで容器から剥離して、内蓋切目に沿って内蓋を切り取って大きい開口を形成すると同時に容器に接着された内蓋に湯切り孔を形成する際に、蓋材の剥離する方向と内蓋の両端部が容器から剥がれようとする方向が一致してしまうため、内蓋切目の両端部にて外蓋が内蓋から剥離せずに、内蓋が外蓋に接着した状態で熱接着部から剥離してきて、湯切り孔が形成された内蓋が容器に接着された状態で残らなくなってしまうケースが発生し湯切りができなくなるという欠点がある。また、容器に接着された状態で残った湯切り孔が形成された内蓋を容器から剥離して除去する際に摘み部がないために容器から剥離するのが困難であるという欠点がある。
【０００４】
【発明が解決しようとする課題】
本発明の目的は、蓋材を剥離して開封することにより、湯切り孔を有する内蓋を容器側に残すとともに内容物を取り出す大きい開口を形成することが可能であり、容器に接着されて残った湯切り孔が形成された内蓋を剥離して取り除くのが容易な生めん等の容器に使用する湯切り孔付き蓋材を提供することである。
【０００５】
【課題を解決するための手段】
外蓋と内蓋が離型層を介して剥離可能に積層された構成からなり外周縁に外方に突出する摘み部を有する形状の蓋材であって、内蓋には、摘み部の近傍に剥離開始切目が形成され、摘み部と対向する蓋材の周縁部領域に複数の湯切り孔切目が形成され、剥離開始切目より中央部側に摘み部と蓋材の中心を結ぶ線に交差し対称な略円形状であって内方に突出する突出部を有する内蓋切目が形成され、離型層が剥離開始切目と内蓋切目と蓋材の外周縁に囲まれた領域に形成された構成とすることにより、この蓋材を生めん等を収納した容器に熱接着して取り付けた包装体とし、摘み部を掴んで容器から蓋材を引き剥がすと、剥離開始切目の箇所から外蓋が内蓋から剥離されると同時に内蓋切目に囲まれた領域の内蓋が外蓋に接着した状態で切り取られて開口が形成されるとともに、湯切り孔切目が形成された領域では内蓋の湯切り孔切目に囲まれた部分が外蓋に接着した状態で抜き取られて湯切り孔が形成されて、湯切り孔と内方に突出する突出部を有する大きい開口が形成された内蓋が容器の口部に接着されて残った状態となる。この状態で開口から容器に収納されている袋詰めされた生めん、具、スープ等を取り出し、生めんと具を袋から取り出して容器に入れて熱湯を注いで一定時間放置した後、内蓋に形成された湯切り孔から簡単に湯切りをすることができる。湯切りが完了した後、内蓋の内方に突出する突出部を掴んで容器から剥離させて除去することができる。
【０００６】
上記湯切り孔付き蓋材において、離型層が、剥離開始切目の近傍領域においてベタ離型層とされ且つその他の領域において網点離型層とされた構成とすることにより、摘み部を掴んで蓋材を容器から剥離する際に、ベタ離型層が形成された剥離開始切目の近傍において、内蓋と外蓋が容易に剥離するとともに、湯切り孔切目が形成された領域は網点離型層とされており、外蓋と内蓋の剥離強度がやや強くなるので、湯切り孔切目に囲まれた部分は外蓋に接着した状態で抜き取られ、内蓋に湯切り孔を形成することができる。
【０００７】
上記湯切り孔付き蓋材において、内蓋切目が隣接する２個の突出部を有する形状とされ、２個の突出部間に分離切目が形成された構成とすることにより、蓋材の摘み部を掴んで開封した後、容器に接着された状態で残った湯切り孔と開口が形成された内蓋を、２個の内方に突出する突出部を分離切目で切り、一方の突出部を掴んで円周方向に引張って簡単に取り除くことができる。
【０００８】
上記湯切り孔つき蓋材において、前記外蓋が、紙層単体ないしはプラスチックフィルムと紙層の積層体からなり、前記内蓋が、ポリエチレン層とアルミニウム箔と熱接着性樹脂層の積層体からなる構成とすることにより、蓋材の内面からのハーフカットにより内蓋に剥離開始切目、湯切り孔切目、内蓋切目を形成するのが容易となる。また、アルミニウム箔を積層しているので蓋材のカールが少なくなり蓋を容器に熱接着する際の作業性がよくなる。
【０００９】
【発明の実施の形態】
以下、図面を引用して本発明の実施の形態を説明する。
図１は本発明の第１実施形態を示す底面図、図２は図１に於けるＩ−Ｉ断面図、図３は第１実施形態の蓋材を容器口部に熱接着した状態の断面図、図４は図３に示す状態から摘み部を掴んで蓋材を剥離させて内蓋に湯切り孔を形成した状態の断面図、図５は内蓋に湯切り孔を形成した状態の容器の平面図、図６は本発明の第２実施形態を示す底面図であって、１, 1'は蓋材、２は摘み部、３は剥離開始切目、４は湯切り孔切目、５, 5'は内蓋切目、5aは分離切目、６, 6'は突出部、７は湯切り孔、８は熱接着部、９は容器、10は外蓋、11はプラスチックフィルム層、12は接着剤層、13は紙層、14は網点離型層、14a はベタ離型層、15は印刷層、20は内蓋、21はポリエチレン層、22はアルミニウム箔層、23は熱接着性樹脂層をそれぞれ表す。
【００１０】
本発明の第１実施形態の蓋材１の底面図及び断面図は図１及び図２に示すとおりである。蓋材１の形状は、図１に示すように、円形状であって外周縁に蓋材１を剥離させて湯切り孔を形成するとともに容器に大きいを開口を形成するための摘み部２が外方に突出して形成されている。内蓋20には、摘み部２の近傍に剥離開始切目３が形成され、剥離開始切目３の内側の蓋材１の中央部よりやや摘み部２寄りの領域に、摘み部２と蓋材１の中心を結ぶ線に交差し対称な略円形状であり摘み部２の内側の位置に内方に突出する突出部６を有する内蓋切目５が形成され、摘み部２と対向する蓋材１の周縁部領域に複数の湯切り孔切目４が形成されている。外蓋10の内面には、剥離開始切目３と内蓋切目５と蓋材１の外周縁に囲まれた領域に網点離型層14とベタ離型層14a からなる離型層が形成され、剥離開始切目３の近傍領域ではベタ離型層14a とされるとともにその他の領域では網点離型層14とされている。
【００１１】
第１実施形態の蓋材１の積層構成は、図２に示すとおりであって、外面から順に、プラスチックフィルム層11と接着剤層12と紙層13と網点離型層14及びベタ離型層14a からなる外蓋10と、ポリエチレン層21とアルミニウム箔22と熱接着性樹脂層23からなる内蓋20が積層された構成である。熱接着性樹脂層23として易剥離性樹脂が使用され熱接着された蓋材１が容器から剥離可能にされている。印刷層15は紙層13の外面に形成されている。外蓋10の紙層13の内面に形成されている離型層は、剥離開始切目３と内蓋切目５と蓋材１の外周縁に囲まれた領域に形成されており、剥離開始切目３の近傍領域ではベタ離型層14a とされ、その他の領域では網点離型層14とされている。内蓋20には、摘み部２の近傍に剥離開始切目３が形成され、剥離開始切目３より内側の蓋材１の中央部よりやや摘み部２寄りに内蓋切目５が形成され、摘み部２と対向する蓋材１の周縁部の領域に湯切り孔切目４が形成されている。剥離開始切目３と内蓋切目５と湯切り孔切目４は内蓋20を貫通する状態で形成されている。
【００１２】
第１実施形態の蓋材１を容器に熱接着した状態は図３に示すとおりである。発泡ポリスチレン等からなる容器９のフランジ部に蓋材１が内面の熱接着性樹脂層23により熱接着部８にて熱接着されて取り付けられている。蓋材１を容器に熱接着する際には蓋材１の剥離開始切目３が熱接着部８の外端に位置するように取り付けられる。容器９に蓋材１を熱接着することにより容器９が完全に密封された状態となる。図３に示す容器９に蓋材１が取り付けられた状態から、蓋材１の摘み部２を掴んで蓋材１を容器９から引き剥がすと、剥離開始切目３にて外蓋10と内蓋20が剥離して外蓋10が内蓋20から剥がされ、内蓋20の内蓋切目５に囲まれた部分が外蓋10に接着した状態で切り取られて大きい開口が形成されるとともに、湯切り孔切目４の形成された領域では湯切り孔切目４に囲まれた部分の内蓋20が外蓋10に接着した状態で抜き取られて湯切り孔７が形成されて、図４に示すように、容器の口部に湯切り孔７と大きい開口が形成された内蓋20が接着して残った状態となる。
【００１３】
第１実施形態の蓋材１を容器９に熱接着して取り付けた後、摘み部２を掴んで蓋材１を容器９から剥離した状態の容器９の平面図は、図５に示すとおり、複数の湯切り孔７が形成された三日月状部の両端間を連結する所定幅を有する円弧状の内蓋20が容器９の開口部の半分近くを被覆した状態で熱接着部８にて容器９に接着されて残り、容器９の湯切り孔７が形成された三日月状の内蓋20に隣接した領域に大きい開口が形成された状態となる。この状態で、大きく形成された開口から容器９に収納されている袋入りの生めん、具、スープ等の内容物を取り出し、生めんと具を袋から出して容器９に入れ、容器９内に熱湯を注入して一定時間放置した後、容器９を傾けることにより内蓋20の湯切り孔７から簡単に湯切りを行うことができる。湯切りが完了した後に、内蓋20の内方に突出する突出部６を掴んで容器９の口部に接着されて残っている内蓋20を容器９から剥離して取り除くことができる。
【００１４】
第２実施形態の蓋材1'の底面図は、図６に示すとおりであって、第１実施形態の蓋材１と比較して内蓋切目5'の形状が異なる以外は同じ構成である。蓋材1'の形状は円形状であって、外周縁に外蓋10を内蓋20から剥離させて湯切り孔を形成するとともに容器９の口部に大きい開口を形成するための摘み部２が外方に突出して形成されている。内蓋20には、摘み部２の内側に剥離開始切目３が形成され、蓋材1'の中央部よりやや摘み部２寄りの領域に摘み部２と蓋材1'の中心を結ぶ線に交差し対称な略円形状の内蓋切目5'が形成され、内蓋切目5'は摘み部２の内側の位置に２個の内方に突出する突出部6'を有しており、摘み部２と対向する蓋材1'の周縁部領域に複数の湯切り孔切目４が形成されている。外蓋10の内面の剥離開始切目３と内蓋切目5'と蓋材1'の外周縁に囲まれた領域には網点離型層14が形成され、剥離開始切目３の近傍領域ではベタ離型層14a が形成されている。
【００１５】
第２実施形態の蓋材1'を容器９に熱接着して取り付けた後、摘み部２を掴んで蓋材1'を容器９から剥離した状態は、図示しないが、複数の湯切り孔７が形成された三日月状の内蓋20が容器９の口部の半分を被覆するとともに、湯切り孔７が形成された領域と対向する容器９の口部の周縁を一定の幅で被覆する状態で内蓋20が容器９に接着されて残る。湯切り孔７と大きい開口が形成された容器の使用方法は第１実施形態の場合と同じである。また、湯切りが完了した後、容器９に接着されて残った内蓋20は、２個の内方に突出する突出部6'を分離切目５ａで切り、一方の突出部6'を掴んで円周方向に引張って簡単に取り除くことができる。
【００１６】
離型層を形成するための樹脂としては、硝化綿、ポリアミド樹脂、ポリエステル樹脂、アクリル樹脂、ブチラール樹脂、塩化ビニル−酢酸ビニル共重合体、エチレン−酢酸ビニル共重合体等の単体ないしは混合物が使用できる。必要により少量のシリコーン等を添加してもよい。離型層は上記の樹脂からなるインキを使用して紙層の内面にグラビア印刷等により印刷することにより形成される。ベタ離型層はベタ版を使用した印刷により、網点離型層は網点面積率が１０〜４０％の網点状にエッチングされた印刷版を使用して印刷することにより形成される。ベタ離型層とポリエチレン層との界面では容易に剥離するが、網点離型層とポリエチレン層との界面ではやや剥離強度が強くなる。剥離開始切目の近傍の領域をベタ離型層とし湯切り孔切目が形成される領域を網点離型層とすることにより、摘み部を掴んで蓋材を剥離することにより剥離開始切目の箇所から外蓋と内蓋を剥離開始させるとともに湯切り孔切目に囲まれた部分の内蓋を外蓋に接着した状態で抜き取り湯切り孔を形成することができる。なお、外蓋の内面の湯切り孔切目の中央部に対向する領域に網点離型層を形成しない構成としてもよく、その場合、円形の湯切り孔切目に囲まれた部分の内蓋と外蓋との接着強度が大幅に強くなるので、湯切り孔を確実に形成することができる。
【００１７】
本発明の実施形態において、外蓋の構成をプラスチックフィルムと紙層の積層体としているが、外蓋を紙層の単体としてもよい。接着層として押出ポリエチレン又はウレタン系接着剤を使用することができる。外蓋をプラスチックフィルムと紙層の積層体とした場合の紙の厚さは４０〜１６０ｇ／ｍ2 程度であり、外蓋を紙層の単体とする場合は、紙の厚さは７０〜１３０ｇ／ｍ2 とするのが好ましい。熱接着性樹脂層としては、熱溶融して押出しラミネーションすることのできるエチレン−酢酸ビニル共重合体を主成分とする易剥離性樹脂が使用できる。外蓋の構成としては、例えば、２軸延伸ポリエチレンテレフタレート１２μ／ポリエチレン２０μ／印刷層／紙６０ｇ／ｍ2 ／部分離型層、２軸延伸ポリエチレンテレフタレート１２μ／ウレタン系接着剤／印刷層／紙６０ｇ／ｍ2 ／部分離型層、印刷層／紙１００ｇ／ｍ2 ／部分離型層等であり、内蓋の構成としては、例えば、ポリエチレン２０μ／アルミニウム箔７〜１５μ／熱接着性樹脂２５μ、ポリエチレン２０μ／アルミニウム箔７〜１５μ／ポリエチレン２０μ／熱接着性樹脂２０μ等である。
【００１８】
本発明の実施形態の湯切り孔付き蓋材を製造する方法は下記のとおりである。片アート紙等のロール状の紙の表面に印刷層を形成する印刷工程とインラインで紙の裏面に印刷層と見当を合わせて網点離型層とベタ離型層を印刷して形成した後に、印刷層と部分的な離型層が形成された紙の印刷層面にポリエチレンを使用した押出ラミネーション又はウレタン系接着剤を使用したドライラミネーションにより２軸延伸ポリエチレンテレフタレート等のプラスチックフィルムを積層して外蓋基材を作製する。次いで、上記で作製した外蓋用基材の部分的な離型層が形成された紙面に、ポリエチレンの押出ラミネーションによりアルミニウム箔を積層し、更に、アルミニウム箔面に押出ラミネーションにより熱接着性樹脂層を積層することにより、ロール状の蓋材用の積層体を作製する。次いで、作製した蓋材用の積層体の内面の熱接着性樹脂層面から印刷絵柄に見当を合わせてハーフカットを行うことにより剥離開始切目と湯切り孔切目と内蓋切目を形成し、最後に蓋材用の積層体を印刷絵柄に見当を合わせた所定位置にて打ち抜くことにより実施形態の蓋材を作製することができる。
【００１９】
【発明の効果】
本発明の蓋材は、外蓋と内蓋が離型層を介して剥離可能に積層された構成からなり外周縁に外方に突出する摘み部を有する形状の蓋材であって、内蓋には、摘み部の近傍に剥離開始切目が形成され、摘み部と対向する蓋材の周縁部領域に複数の湯切り孔切目が形成され、剥離開始切目より中央側に摘み部と蓋材の中心を結ぶ線に交差し対称な略円形状であって内方に突出する突出部を有する内蓋切目が形成され、離型層が剥離開始切目と内蓋切目と蓋材の外周縁に囲まれた領域に形成された構成であるので、この蓋材を生めん等を収納した容器に熱接着して取り付けた包装体とし、摘み部を掴んで容器から蓋材を引き剥がすと、剥離開始切目の箇所から外蓋が内蓋から剥離され、湯切り孔と内方に突出する突出部を有する大きい開口が形成された内蓋が容器の口部に接着されて残った状態となる。この状態で開口から容器に収納されている袋詰めされた生めん、具、スープ等を取り出し、生めんと具を袋から取り出して容器に入れて熱湯を注いで一定時間放置した後、内蓋に形成された湯切り孔から簡単に湯切りをすることができる。湯切りが完了した後、内蓋の内方に突出する突出部を掴んで容器から簡単に剥離させて除去することができる。
【００２０】
上記湯切り孔付き蓋材において、内蓋切目が隣接する２個の突出部を有する形状とされ２個の突出部間に分離切目が形成された構成とすることにより、湯切り孔と大きい開口が形成され容器の口部に接着されて残った内蓋を、２個の内方に突出する突出部を分離切目で切り、一方の突出部を掴んで円周方向に引張って簡単に取り除くことができる。
【図面の簡単な説明】
【図１】本発明の第１実施形態を示す底面図。
【図２】図１に於けるＩ−Ｉ断面図。
【図３】第１実施形態の蓋材を容器口部に熱接着した状態の断面図。
【図４】図３に示す状態から摘み部を掴んで蓋材を剥離させて内蓋に湯切り孔と開口を形成した状態の断面図。
【図５】内蓋に湯切り孔と開口を形成した状態の容器の平面図。
【図６】本発明の第２実施形態を示す底面図。
【符号の説明】
１, 1'  蓋材
２  摘み部
３  剥離開始切目
４  湯切り孔切目
５, 5'  内蓋切目
5a  分離切目
６, 6'  突出部
７  湯切り孔
８  熱接着部
９  容器
10  外蓋
11  プラスチックフィルム層
12  接着剤層
13  紙層
14  網点離型層
14a   ベタ離型層
15  印刷層
20  内蓋
21  ポリエチレン層
22  アルミニウム箔層
23  熱接着性樹脂層
【図１】
0003892731.tif 000002
【図２】
0003892731.tif 000003
【図３】
0003892731.tif 000004
【図４】
0003892731.tif 000005
【図５】
0003892731.tif 000006
【図６】
0003892731.tif 000007